(57)【特許請求の範囲】
【請求項１】
複数の無線通信チャネルを使用して通信できる基地局と移動局と有する無線通信システムにおいて、
上記移動局は、
複数の無線通信チャネルを使用して第１の基地局と通信中に、上記第１の基地局から一部の無線通信チャネルの切断指示を受けた場合に、上記複数の無線通信チャネルを介した通信を継続するか否かの設定状態を確認する確認手段と、
上記確認手段による確認の結果、上記複数の無線通信チャネルを介した通信を継続しない設定の場合は、上記第１の基地局からの上記切断指示に従って上記一部の無線通信チャネルを切断し、上記第１の基地局との残りの無線通信チャネルでの通信を継続し、上記確認手段による確認の結果、上記複数の無線通信チャネルを介した通信を継続する設定の場合は、第２の基地局と複数の無線チャネルを接続し、上記第１の基地局との複数の無線チャネルを使用した通信を、第２の基地局との複数の無線チャネルを使用した通信に切替えて継続する通信継続手段と、
を有することを特徴とする無線通信システム。
【請求項２】
複数の無線通信チャネルを使用して第１の基地局と通信中に、上記第１の基地局から一部の無線通信チャネルの切断指示を受けた場合に、上記複数の無線通信チャネルを介した通信を継続するか否かの設定状態を確認する確認手段と、
上記確認手段による確認の結果、上記複数の無線通信チャネルを介した通信を継続しない設定の場合は、上記第１の基地局からの上記切断指示に従って上記一部の無線通信チャネルを切断し、上記第１の基地局との残りの無線通信チャネルでの通信を継続し、上記確認手段による確認の結果、上記複数の無線通信チャネルを介した通信を継続する設定の場合は、第２の基地局と複数の無線チャネルを接続し、上記第１の基地局との複数の無線チャネルを使用した通信を、第２の基地局との複数の無線チャネルを使用した通信に切替えて継続する通信継続手段と、
を有することを特徴とする移動局。
【請求項３】
上記通信継続手段は、上記切断指示を送信した上記第１の基地局に上記一部の無線通信チャネル以外の無線通信チャネルの切替要求を送信し、上記第２の基地局への切り替え処理を行うことを特徴とする請求項２に記載の移動局。
【請求項４】
上記通信継続手段は、上記切断指示を送信した上記第１の基地局に上記一部の無線通信チャネル以外の無線通信チャネルの切替要求を送信すると共に、上記第２の基地局と上記複数の無線チャネルを接続するための処理を行うことを特徴とする請求項２に記載の移動局。
【請求項５】
確認手段が、複数の無線通信チャネルを使用して第１の基地局と通信中に、上記第１の基地局から一部の無線通信チャネルの切断指示を受けた場合に、上記複数の無線通信チャネルを介した通信を継続するか否かの設定状態を確認する確認工程と、
通信継続手段が、上記確認工程における確認の結果、上記複数の無線通信チャネルを介した通信を継続しない設定の場合は、上記第１の基地局からの上記切断指示に従って上記一部の無線通信チャネルを切断し、上記第１の基地局との残りの無線通信チャネルでの通信を継続し、上記確認工程における確認の結果、上記複数の無線通信チャネルを介した通信を継続する設定の場合は、第２の基地局と複数の無線チャネルを接続し、上記第１の基地局との複数の無線チャネルを使用した通信を、第２の基地局との複数の無線チャネルを使用した通信に切替えて継続する通信継続工程と、
を実行することを特徴とする移動局の通信方法。
【発明の詳細な説明】
【０００１】
【発明の属する技術分野】
本発明は、複数の無線通信チャネルを使用して通信できる無線通信システム及び移動局、移動局の通信方法に関する。
【０００２】
【従来の技術】
従来、無線通信を用いたデジタルデータ通信として、ＰＨＳを用いたＰＩＡＦＳという規格がある。このＰＩＡＦＳは、ＰＨＳの無線通信回線の１回線分（３２ｋｂｐｓ）の通信路を用い、２９．２ｋｂｐｓの実行速度のデータ通信を行う規格である。
【０００３】
また、データ通信をより高速に行うという要求に応えるために、無線通信回線２回線分（６４ｋｂｐｓ）を用いて、通信する方式が、ＲＣＲ−ＳＴＤ第３．０版、ＰＩＡＦＳ第２．０版で追加して定められている。
【０００４】
さらに、この無線通信回線２回線分を使用した通信方式について、３２ｋｂｐｓと６４ｋｂｐｓとの切り替えが可能なシステムが、ＲＣＲ−ＳＴＤ第３．２版、ＰＩＡＦＳ第２．１版で定められている。
【０００５】
ＲＣＲ−ＳＴＤ第３．２版と、ＰＩＡＦＳ第２．１版との方式を用いた無線通信システムにおいて、無線通信回線２回線分（６４ｋｂｐｓ）を用いた通信を行ない、無線通信を行なうための全ての資源を、基地局が使用しているときに、別の移動局から通信要求を受けると、無線通信回線を１回線分空けるために、無線通信回線２回線分（６４ｋｂｐｓ）を用いて通信を行なっている移動局に、無線通信回線を１回線開放する切断の指示を送り、無線通信回線１回線を用いた３２ｋｂｐｓのデータ通信に移行するようにしている。
【０００６】
【発明が解決しようとする課題】
しかし、上記従来の技術では、無線通信回線２回線分を使用した通信方式について、３２ｋｂｐｓと６４ｋｂｐｓとの切り替えが可能なシステムにおいて、無線通信回線２回線分を用いた通信を行ない、無線通信を行なうための全ての資源を、基地局が使用し、別の移動局から通信要求を受けた場合等には、移動局の操作者が意図しない間に、データ通信速度が低速に切り替えられてしまうという問題がある。
【０００７】
本発明は、無線チャネルの切断によるデータ通信速度の低下を防止する。
【０００８】
【課題を解決するための手段】
本発明は、複数の無線通信チャネルを使用して通信できる基地局と移動局と有する無線通信システムにおいて、上記移動局は、複数の無線通信チャネルを使用して第１の基地局と通信中に、上記第１の基地局から一部の無線通信チャネルの切断指示を受けた場合に、上記複数の無線通信チャネルを介した通信を継続するか否かの設定状態を確認する確認手段と、上記確認手段による確認の結果、上記複数の無線通信チャネルを介した通信を継続しない設定の場合は、上記第１の基地局からの上記切断指示に従って上記一部の無線通信チャネルを切断し、上記第１の基地局との残りの無線通信チャネルでの通信を継続し、上記確認手段による確認の結果、上記複数の無線通信チャネルを介した通信を継続する設定の場合は、第２の基地局と複数の無線チャネルを接続し、上記第１の基地局との複数の無線チャネルを使用した通信を、第２の基地局との複数の無線チャネルを使用した通信に切替えて継続する通信継続手段とを有することを特徴とする無線通信システムを提供する。
また、複数の無線通信チャネルを使用して第１の基地局と通信中に、上記第１の基地局から一部の無線通信チャネルの切断指示を受けた場合に、上記複数の無線通信チャネルを介した通信を継続するか否かの設定状態を確認する確認手段と、上記確認手段による確認の結果、上記複数の無線通信チャネルを介した通信を継続しない設定の場合は、上記第１の基地局からの上記切断指示に従って上記一部の無線通信チャネルを切断し、上記第１の基地局との残りの無線通信チャネルでの通信を継続し、上記確認手段による確認の結果、上記複数の無線通信チャネルを介した通信を継続する設定の場合は、第２の基地局と複数の無線チャネルを接続し、上記第１の基地局との複数の無線チャネルを使用した通信を、第２の基地局との複数の無線チャネルを使用した通信に切替えて継続する通信継続手段とを有することを特徴とする移動局及びその通信方法を提供する。
【０００９】
【発明の実施の形態および実施例】
図１は、本発明の一実施例である無線通信システム１００を示すブロック図である。
【００１０】
無線通信システム１００は、無線通信を行う移動局１０１と、データ通信を行うデータ端末１０３と、移動局１０１とデータ端末１０３を接続する接続ケーブル１０２と、移動局１０１と無線通信回線を接続する基地局１０４、１０６とを有する。
【００１１】
基地局１０４は、通信回線１０５、公衆網１０８、通信回線１０９を介して、相手ターミナルアダプタ１１０と接続されている。また、基地局１０６は、通信回線１０７、公衆網１０８、通信回線１０９を介して、相手ターミナルアダプタ１１０と接続されている。
【００１２】
図２は、上記実施例における移動局１０１を示すブロック図である。
【００１３】
移動局１０１において、移動局全体の制御を行う移動局制御部２０１は、６４ｋｂｐｓ通信継続機能の制御も司る。移動局側メモリ２０２は、通信データを一時蓄積する等の機能を担うメモリである。無線を送受する移動局側無線送受信部２０４は、アンテナ２０３を介して、電波の送受を行う。ＰＩＡＦＳ制御部２０５は、送信するデータをＰＩＡＦＳのフォーマットにして、無線送受信部２０４に送り、受信したデータをエラー検出等を行い、データインタフェースに送るＰＩＡＦＳ制御部である。端末インタフェース処理部２０６は、データ端末１０３との通信を行う。
【００１４】
次に、上記実施例の動作について説明する。
【００１５】
図３は、上記実施例を説明する無線制御シーケンス図である。
【００１６】
図４は、上記実施例の動作を示すフローチャートである。
【００１７】
ＰＨＳの無線チャネルを２つ使用した６４ｋｂｐｓ通信を移動局１０１が実行している途中で（Ｓ３０１、Ｓ３０２）、基地局１０４が、他の移動局の発呼操作等によって、新たな無線通信の要求を受けたら（Ｓ４０１）、基地局１０４が収容している有線回線に空きがあり、無線回線にも空きがある等、新たな無線通信を行うための資源があるか否かを調べる（Ｓ４０２）。
【００１８】
ここで、資源が残っていれば、無線チャネルを２つ使用した６４ｋｂｐｓ通信を、継続して行う。
【００１９】
資源が残っていなければ、１つの無線チャネルを切断する切断処理を行う（Ｓ３０３、Ｓ３０４、Ｓ４０３）。なお、図３では、例として、第２ＴＣＨを切断する場合の無線制御シーケンスを示してある。移動局１０１では、６４ｋｂｐｓ通信継続機能の設定状態を調べる（Ｓ４０４）。
【００２０】
６４ｋｂｐｓ通信継続機能が停止状態に設定されていれば、３２ｋｂｐｓ通信に移行する。一方、６４ｋｂｐｓ通信継続機能が動作状態に設定されていれば、移動局１０１は、ＴＣＨ切替要求を基地局１０４に送る（Ｓ３０５）。基地局１０４は、このＴＣＨ切替要求を受けると、移動局１０１へ、ＴＣＨ切替指示を送る（Ｓ３０６）。これと同時に、同期バーストを送る（Ｓ３０７）。
【００２１】
移動局１０１は、ＴＣＨ切替指示を受けたら、リンクチャネル確立要求を送り（Ｓ３０８）、基地局１０６は、この要求を受けたら、空き無線チャネルを探し（キャリアセンス動作）て、リンクチャネル割当を移動局１０１へ送る（Ｓ３０９）。
【００２２】
以降、第１ＴＣＨのチャネル上で、同期バーストを相互に送り（Ｓ３１０、Ｓ３１１）、レイヤ２のリンクを張る（Ｓ３１２、Ｓ３１３）。このように、他の基地局（例えば基地局１０６）へのリンク確立処理を行う（Ｓ４０６）。
【００２３】
次に、移動局１０１は、基地局１０６へＴＣＨ追加要求を送る（Ｓ３１４）。基地局１０６は、このＴＣＨ追加要求を受けると、２チャネル目の空き無線チャネルを探し（キャリアセンス動作）、ＴＣＨ追加割当（Ｓ３１５）を送る。
【００２４】
以降、第２ＴＣＨのチャネル上で、同期バーストを相互に送り（Ｓ３１６、Ｓ３１７）、アイドルＴＣＨを相互に送る（Ｓ３１８、Ｓ３１９）。このようにＴＣＨ追加処理を行う（Ｓ４０７）。
【００２５】
次に、移動局１０１は、基地局１０６へ呼設定メッセージを送り（Ｓ３２０）、基地局１０６は、このメッセージを受けると、呼設定受付メッセージを移動局１０１へ送る（Ｓ３２１）。このように、呼設定処理を行う（Ｓ４０８）。
【００２６】
移動局１０１は、ＴＣＨでの秘話機能のための秘匿鍵設定を基地局１０６へ送る（Ｓ３２２、Ｓ４０９）。
【００２７】
基地局１０６は、この設定メッセージを受けると、移動局１０１へＤＩＳＣを送る（Ｓ３２３）。そして、移動局１０１は、基地局１０６へＵＡを送る（Ｓ３２４）。
【００２８】
基地局１０６は、移動局１０１へ応答メッセージを送り（Ｓ３２５）、その後に、２チャネルを使用した６４ｋｂｐｓ通信状態になる（Ｓ３２６、Ｓ３２７）。
【００２９】
上記のようにして、６４ｋｂｐｓ通信が継続される。
【００３０】
上記実施例では、無線通信の媒体としてＰＨＳを使用しているが、デジタルコードレス電話等のＰＨＳ以外の無線通信を無線通信媒体として使用するようにしてもよく、このようにしても、上記と同様の動作を行ない、上記と同様の効果がある。
【００３１】
つまり、上記実施例は、少なくとも２つの無線通信チャネルを使用して、デジタルデータ通信を行うことが可能な時分割多重方式を用い、基地局と移動局とによって構成され、データ通信の速度を切り替えることが可能な無線通信システムにおいて、２つの無線通信チャネルを使用して通信中に、上記基地局から１つの無線通信チャネルの切断指示を受けた場合に、他の基地局へ通信のチャネルを切り替える要求を送るチャネル切り替え要求手段と、上記他の基地局に無線通信を接続し、上記２つの無線通信チャネルを使用する通信を継続する通信継続手段とを有する無線通信システムにおける移動局の例である。
【００３２】
上記説明によれば、少なくとも２つの無線通信チャネルを使用して、デジタルデータ通信を行うことが可能な時分割多重方式を用い、基地局と移動局とによって構成され、データ通信の速度を切り替えることが可能な無線通信システムにおいて、移動局の操作者が意図しない間にデータ通信速度が低速に切り替えられることを防止することができるという効果を奏する。
【発明の効果】
本発明によれば、移動局の操作者が意図しないのに、データ通信速度が低速に切り替えられてしまうことを防止することができるという効果を奏する。
【図面の簡単な説明】
【図１】本発明の一実施例である無線通信システム１００を示すブロック図である。
【図２】上記実施例における移動局１０１を示すブロック図である。
【図３】上記実施例を説明する無線制御シーケンス図である。
【図４】上記実施例の動作を示すフローチャートである。
【符号の説明】
１００…無線通信システム、
１０１…移動局、
１０２…接続ケーブル、
１０３…データ端末、
１０４，１０６…基地局、
１０５、１０７，１０９…通信回線、
１０８…公衆網、
１１０…相手ターミナルアダプタ。
【図１】
0004557371.tif 000002
【図２】
0004557371.tif 000003
【図３】
0004557371.tif 000004
【図４】
0004557371.tif 000005